(57)【要約】【課題】  カード処理装置におけるシャッタの構造において、部品点数を削減し構造を簡素化するとともに、ソレノイドの小型化を可能とする。【解決手段】  カード処理用収納室１０内に進退自在なシャッタ１７に並設されたソレノイド２０のロッド２０ａの進退方向は、シャッタ１７の進退方向と一致している。解除レバー２５の移動方向とシャッタ１７の進退方向とが一致し、シャッタ１７とロッド２０ａおよび解除レバー２５とは、一本の連結ピン２１を介して連結されている。【選択図】  図２
2009059035.tif 000002
【特許請求の範囲】
【請求項１】
カード挿入口兼排出口と、このカード挿入口兼排出口から挿入されたカードを収納し処理するカード処理用収納室と、このカード処理用収納室に進退自在でこのカード処理用収納室に収納されたカードのカード挿入口兼排出口からの抜き取りを規制するシャッタと、このシャッタに並設されシャッタの進退方向に進退自在なロッドが前進位置と後退位置とで自己保持されるソレノイドと、このソレノイドのロッドと前記シャッタとを連結する一つの連結部材とを備えたことを特徴とするカード処理装置におけるシャッタの構造。
【請求項２】
前記連結部材に連結され前記ロッドの進退方向に移動自在に支持された手動用操作部材を備えたことを特徴とする請求項１記載のカード処理装置におけるシャッタの構造。
【発明の詳細な説明】
【技術分野】
【０００１】
本発明は、処理中のカードがカード処理室内から抜き取られるのを規制したり、２枚目のカードがカード処理室内に挿入されないようにするためのシャッタを備えたカード処理装置におけるシャッタの構造に関するものである。
【背景技術】
【０００２】
従来のカード処理装置におけるシャッタの構造としては、カード挿入路内に挿入されたカードの移動に追従して移動する移動子と、この移動子と係合し移動子の移動を規制する係止部材と、この係止部材を回動させ移動子との係合を解除するソレノイドと、手動操作によって係止部材と移動子との係合を解除するとともに、シャッタを作動させカード挿入口を開放する手動用操作部材とを備えたものがある（例えば、特許文献１参照）。
【特許文献１】特開２００７−３４５９４号公報
【発明の開示】
【発明が解決しようとする課題】
【０００３】
上述した従来のカード処理装置におけるシャッタの構造においては、シャッタとソレノイドとが離間した構造であるため、ソレノイドの駆動をシャッタに伝達するために、両部材間に係止部材や手動用操作部材といったように複数の部材を必要としていた。このため、部品点数が増加し構造が複雑になるというだけではなく、両部材間にソレノイドの駆動力を伝達するための伝達部材が多くなることにより、伝達効率が低下するために大型のソレノイドを必要とするといった問題もあった。
【０００４】
本発明は上記した従来の問題に鑑みなされたものであり、その目的とするところは、部品点数を削減し構造を簡素化するとともに、ソレノイドの小型化を可能としたカード処理装置におけるシャッタの構造を提供するところにある。
【課題を解決するための手段】
【０００５】
この目的を達成するために、本発明は、カード挿入口兼取出口と、このカード挿入口兼取出口から挿入されたカードを収納し処理するカード処理用収納室と、このカード処理用収納室に進退自在でこのカード処理用収納室に収納されたカードのカード挿入口兼取出口からの抜き取りを規制するシャッタと、このシャッタに並設されシャッタの進退方向に進退自在なロッドが前進位置と後退位置とで自己保持されるソレノイドと、このソレノイドのロッドと前記シャッタとを連結する一つの連結部材とを備えたものである。
【０００６】
本発明は、前記発明において、前記連結部材に連結され前記ロッドの進退方向に移動自在に支持された手動用操作部材を備えたものである。
【発明の効果】
【０００７】
本発明によれば、シャッタの進退方向にソレノイドのロッドの進退方向とを一致させたことにより、ロッドの進退動作を効率よくシャッタに伝達することができるため、ソレノイドを小型化することができる。また、ソレノイドをシャッタに並設したことにより、シャッタとロッドとを連結する連結部材を最小限の長さに形成することができ、かつ連結部材を一つとしたことにより、部品点数が削減され構造も簡素化することができる。
【０００８】
前記発明のうちの一つの発明によれば、シャッタを共通の連結部材を介してソレノイドと手動操作部材とによって移動させることができるため、部品点数が削減され構造も簡素化することができる。また、手動用操作部材の操作方向とシャッタの進退方向とが一致しているため、連結部材を介してのシャッタの移動を小さな力によって行うことができるため使い勝手が向上する。
【発明を実施するための最良の形態】
【０００９】
以下、本発明の実施の形態を図に基づいて説明する。図１は本発明に係るカード処理装置の正面図、図２は図１におけるII-II 線断面図、図３はカードがカード処理用収納室に収納される以前の待機状態を示し、同図（Ａ）は図２におけるIII（Ａ）-III（Ａ） 線断面図、同図（Ｂ）は図２におけるIII（Ｂ）-III（Ｂ） 線断面図、図４はカードがカード処理用収納室に収納された状態を示し、同図（Ａ）は図２におけるIII（Ａ）-III（Ａ） 線断面図、同図（Ｂ）は図２におけるIII（Ｂ）-III（Ｂ） 線断面図、図５（Ａ）は図２におけるIII（Ａ）-III（Ａ） 線断面図であって、解除レバーの手動操作によってシャッタを移動させカード挿入兼取出口を開放した状態を示し、同図（Ｂ）は図２におけるIII（Ｂ）-III（Ｂ） 線断面図であって、ソレノイドまたは解除レバーによってシャッタを移動させカード挿入兼取出口を開放した状態を示す。
【００１０】
図２に全体を符号１で示すカード処理装置は、断面がコ字状に形成された前板２、両側板３，４、背面板５、底板６および上板７（図３参照）によって密閉された筺体によって構成されている。８は前板２の前面部を覆う前面カバーであって、この前面カバー８と前板２との間には、上部にカード挿入口兼取出口９が設けられポケット状に形成されたカード処理用収納室１０が備えられている。
【００１１】
このカード処理用収納室１０には、図１に示すように前面カバー８の中央部に切り欠き形成されたカード把持用窓１１が設けられており、このカード把持用窓１１から指を差し入れることにより、カード処理用収納室１０に収納されているカード１１を把持してカード挿入口兼取出口９からカード１２を取り出することができる。１３，１４はカード処理用収納室１０内にカード１２が収納されていることを検知するカード検知センサである。図２において、１５はカード処理用収納室１０内に収納されているカード１２に対向するように設けられたアンテナ基板であって、カード１２に記録されている情報を非接触状態で処理する。
【００１２】
図３において、１７はシャッタであって、前板２に設けた孔２ａからカード処理用収納室１０内に進退自在となるように、前板２の裏面側に一体に突設された案内部１８に前後方向（矢印Ａ−Ｂ）に移動自在に支持されている。また、シャッタ１７の矢印Ｂ方向側の端部には、後述する連結部材として機能する連結ピン２１が矢印Ａ−Ｂ方向と直交する方向に貫挿される孔１７ａが設けられている。図２において、１９はシャッタ開閉検知センサであって、シャッタ１７が孔２ａからカード処理用収納室１０内に進出することにより、シャッタ１７の側部に設けた検知片１７ｂを検知する。
【００１３】
図２において、２０はロッド２０ａが前進した位置と後退した位置とで自己保持される自己保持型のソレノイドであって、ロッド２０ａの進退方向がシャッタ１７の進退方向（矢印Ａ−Ｂ方向）と一致するようにシャッタ１７に並設されている。ロッド２０ａの孔（図示せず）には、シャッタ１７に貫挿された連結ピン２１がロッド２０ａの進退方向と直交するように貫挿されており、ロッド２０ａとシャッタ１７とは連結ピン２１を介して連結されている。この連結ピン２１は、後述する解除レバー２５の凹部２８内に臨むように延設されている。
【００１４】
２２は図示を省略したブラケットを介して側板４に取り付けられた支持板であって、矢印Ａ−Ｂ方向に延在し、両端部にガイドピン２３，２３が植設されており、中央部にばね掛け止め片２２ａが設けられている。２５は矢印Ａ−Ｂ方向に延在する手動用操作部材として機能する解除レバーであって、両端部に長孔２６，２６が設けられており、中央部にばね掛け部２７が突設されている。この解除レバー２５の矢印Ａ方向の端部には、係合面２８ａを有する凹部２８が設けられ、矢印Ｂ方向の端部には、図２に示すように折曲形成された操作部２５ａが設けられている。
【００１５】
この解除レバー２５は、ガイドピン２３，２３に長孔２６，２６を嵌装し、Ｅリング２９によってガイドピン２３からの抜けを規制することにより、図３（Ａ）に示すように、ガイドピン２３を介して支持板２２に矢印Ａ−Ｂ方向に移動自在に支持される。支持板２２のばね掛け止め片２２ａと解除レバー２５のばね掛け止め部２７との間には、引張りコイルばね３０が懸架されており、この引張りコイルばね３０の引張力によって解除レバー２５は矢印Ａ方向に付勢されている。この状態で、解除レバー２５の凹部２８の係合面２８ａは、凹部２８内に臨む連結ピン２１から離間している。
【００１６】
この状態から、操作部２５ａに指を掛け解除レバー２５を引張りコイルばね３０の引張力に抗して矢印Ｂ方向へ移動させることにより、図５（Ａ）に示すように係合面２８ａが連結ピン２１に係合する。また、同様に解除レバー２５を矢印Ｂ方向へ移動させることにより、連結ピン２１も矢印Ｂ方向へ移動し、連結ピン２１を介してシャッタ１７も矢印Ｂ方向へ移動し、シャッタ１７は同図（Ｂ）に示すようにカード処理用収納室１０から退出する。
【００１７】
背面板５には、図２に示すように鍵操作によって開閉自在な扉３１が設けられており、この扉３１の内側に囲い壁３２に囲まれた解除レバー操作用空間３３が形成されている。囲い壁３２の一部には矩形状に形成された窓３２ａが設けられており、解除レバー２５の操作部２５ａはこの窓３２ａから解除レバー操作用空間３３に臨んでいる。したがって、扉３１を鍵によって開き、解除レバー操作用空間３３に指を差し入れ、解除レバー２５の操作部２５ａを把持し、解除レバー２５を矢印Ｂ方向へ移動させることにより、上記したようにシャッタ１７をカード処理用収納室１０から退出させることができるように構成されている。
【００１８】
次に、このように構成されたカード処理装置におけるカードの処理動作について説明する。カードを処理する以前のいわゆる待機状態においては、図３（Ｂ）に示すようにシャッタ１７がカード処理用収納室１０から退出し、カード挿入口兼取出口９が開放されている。この状態で、利用者がカード挿入口兼取出口９からカード１２をカード処理用収納室１０へ挿入すると、カード１２は自重によってカード処理用収納室１０内に収納される。
【００１９】
カード処理用収納室１０内にカード１２が収納されたことがカード検知センサ１３，１４によって検知されると、ソレノイド２０が作動しロッド２０ａが図２中矢印Ａ方向に後退する。したがって、連結ピン２１を介してシャッタ１７も矢印Ａ方向へ移動するので、シャッタ１７が図４（Ｂ）に示すようにカード処理用収納室１０内に進出し、カード挿入口兼取出口９が閉塞される。
【００２０】
このように、ソレノイド２０のロッド２０ａの進退方向がシャッタ１７の進退方向（矢印Ａ−Ｂ方向）と一致し、かつ一本の連結ピン２１を介してシャッタ１７に連結されている。このため、ロッド２０ａの移動が効率よくシャッタ１７に伝達されるから、ソレノイド２０を小型化することができる。また、ソレノイド２０がシャッタ１７に並設され、かつ連結ピン２１を一本としたことにより、部品点数を削減することができるとともに、構造を簡素化することができる。
【００２１】
シャッタがカード処理用収納室１０内に進出したことを、シャッタ開閉検知センサ１９によって検知されると、カード処理用収納室１０内に収納されたカード１２は、アンテナ基板１５によって記録されている情報が処理される。このアンテナ基板１５によるカード１２の処理中は、シャッタ１７によってカード挿入口兼取出口９が閉塞されていることにより、カード処理用収納室１０内からカード１２を抜き取ることや、カード挿入口兼取出口９から２枚目のカードを挿入することはできない。
【００２２】
アンテナ基板１５によるカード１２の処理が終了したら、図示を省略した終了ボタンをＯＮすることにより、ソレノイド２０が作動しロッド２０ａが図２中矢印Ｂ方向へ前進する。したがって、連結ピン２１を介して連結されたシャッタ１７も矢印Ｂ方向へ移動するため、シャッタ１７が、図３（Ｂ）に示すようにカード処理用収納室１０から退出し、カード挿入口兼取出口９が開放される。利用者は、カード把持用窓１１から指を差し入れ、カード処理用収納室１０に収納されたカード１１を把持し、カード挿入口兼取出口９からカード１２を取り出す。
【００２３】
次に、カード処理用収納室１０内へカード１２を収納し、カード１２を処理している最中に停電が発生したり、処理を中止して強制的にカード１２をカード処理用収納室１０から抜き取る場合等について説明する。この場合は、ソレノイド２０のロッド２０ａが図２中矢印Ａ方向に後退しており、その状態が自己保持されているため、シャッタ１７が図４（Ｂ）に示すようにカード処理用収納室１０内に進出し、カード挿入口兼取出口９がシャッタ１７によって閉塞された状態になっている。
【００２４】
この状態で、カード処理装置１を管理している管理者は、図２において鍵操作によって扉３１を開き、解除レバー操作用空間３３に指を差し入れ、解除レバー２５の操作部２５ａを把持する。解除レバー２５を手動によって引張りコイルばね３０の引張力に抗して矢印Ｂ方向へ移動させることにより、図５（Ａ）に示すように係合面２８ａが連結ピン２１に係合する。さらに、解除レバー２５を矢印Ｂ方向へ移動させることにより、連結ピン２１も矢印Ｂ方向へ移動し、連結ピン２１を介してソレノイド２０のロッド２０ａが図２中矢印Ｂ方向へ移動するとともに、シャッタ１７も矢印Ｂ方向へ移動し、シャッタ１７は同図（Ｂ）に示すようにカード処理用収納室１０から退出する。したがって、カード挿入口兼取出口９が開放されるため、このカード挿入口兼取出口９からカード１２を取り出すことができる。
【００２５】
このように、解除レバー２５の操作方向とシャッタ１７の進退方向とが一致しているため、連結ピン２１を介してのシャッタ１７の移動を小さな力によって行うことができるため使い勝手が向上する。また、シャッタ１７とロッド２０ａとを連結している連結ピン２１を利用して解除レバー２５とシャッタ１７とを連結するようにしているため、部品点数を最小限とすることができる。
【図面の簡単な説明】
【００２６】
【図１】本発明に係るカード処理装置の正面図である。
【図２】図１におけるII-II 線断面図である。
【図３】本発明に係るカード処理装置において、カードがカード処理用収納室に収納される以前の待機状態を示し、同図（Ａ）は図２におけるIII（Ａ）-III（Ａ） 線断面図、同図（Ｂ）は図２におけるIII（Ｂ）-III（Ｂ） 線断面図である。
【図４】本発明に係るカード処理装置において、カードがカード処理用収納室に収納された状態を示し、同図（Ａ）は図２におけるIII（Ａ）-III（Ａ） 線断面図、同図（Ｂ）は図２におけるIII（Ｂ）-III（Ｂ） 線断面図である。
【図５】同図（Ａ）は図２におけるIII（Ａ）-III（Ａ） 線断面図であって、本発明に係るカード処理装置において、解除レバーの手動操作によってシャッタを移動させカード挿入兼取出口を開放した状態を示し、同図（Ｂ）は図２におけるIII（Ｂ）-III（Ｂ） 線断面図であって、本発明に係るカード処理装置において、ソレノイドまたは解除レバーによってシャッタを移動させカード挿入兼取出口を開放した状態を示す。
【符号の説明】
【００２７】
１…カード処理装置、９…カード挿入口兼取出口、１０…カード処理用収納室、１２…カード、１５…アンテナ基板、１７…シャッタ、２０…ソレノイド、２０ａ…ロッド、２１…連結ピン（連結部材）、２５…解除レバー（手動操作部材）、２５ａ…操作部、２８ａ…係合面。
【図１】
2009059035.tif 000003
【図２】
2009059035.tif 000004
【図３】
2009059035.tif 000005
【図４】
2009059035.tif 000006
【図５】
2009059035.tif 000007